(57)【要約】【課題】空気中の粉塵等と取り除き、且つ室内を香気で満たすもので、センサーによって始動、停止する空気清浄機構造を提供する。【解決手段】空気清浄機構造は、容器、容器に被せる蓋、モーター、プロペラ及びプロペラ下方に設置する撹絆棒から構成される。容器内部には植物液もしくは芳香剤の液体が入り、プロペラによって蓋外部の気体を持続的に循環させ、液体分子を放散する。蓋の適する位置には数個のセンサーが設置され、そのセンサーと制御スイッチは連接される。人が感知範囲に入ると、センサーが感知して制御スイッチを動かして、モーターが始動する。容器に進入した空気は、液体の液体面と接触し、空気中に混じっている粉塵等を吸いつけ、粉塵は重力によって容器の底部に沈殿する。【選択図】図１
0003102974.tif 000002
【実用新案登録請求の範囲】
【請求項１】
主に液体を入れる容器と、
容器上方に被せ、空気が通気するための通気孔が設置された蓋と、
芯軸が液体方向を向き、蓋に設置されたモーターと、
芯軸に設置されたプロペラと、
プロペラ下方に設置し、容器内の液体に漫した撹絆棒と、
モーターの回転を制御する制御スイッチから構成され、
そのうち容器内部には植物液もしくは芳香剤の液体を入れ、モーターがプロペラを回転させ、そのプロペラの動きによって循環気流が発生し、その循環気流によって、蓋外部の空気が容器内に進入し、容器内気流の循環後、蓋外部に放出され、蓋外部の気体と容器内を継続的に循環させ、容器内の液体分子をスピーディーに排出し、室内空間を香気で満たすもので、
更にプロペラが気流を循環させると同時に撹絆棒がプロペラの動きによって液体を撹絆し、液体分子の活性を増加させて拡散し、特に蓋外部から容器内に進入した空気は液体の液面と接触し、それが空気中の粉塵に混ざり、粉塵は重力により容器底部に沈殿し、空気中の夾雑物を取り除く空気清浄機構造において、
蓋の適する位置には数個のセンサーが設置され、そのセンサーと制御スイッチは相互に連接し、センサーが人を感知すると、センサーが制御スイッチを動かして、モーターを始動し、空気清浄を実施することを特徴とする空気清浄機構造。
【請求項２】
前記プロペラは、最上部に凸条が成形された盤面構造で、また攪拌棒最上部にはプロペラ底面と相互に接合する凸縁が成形され、プロペラの盤体と攪拌棒の凸縁上にはそれぞれ相互に掛合する掛合槽及び掛合凸体が成形され、撹絆棒の掛合凸休をプロペラの掛合槽内に挿し込み、回転させて掛合凸体と掛合槽を確実に止め、攪拌棒とプロペラを結合することを特徴とする請求項１記載の空気清浄機構造。
【請求項３】
前記容器は、透明材質とすることを特徴とする請求項１記載の空気清浄機構造。
【請求項４】
前記モーターは、制御スイッチと電源コードが相互に連結し、電源に挿し込み使用することを特徴とする請求項１記載の空気清浄機構造。
【請求項５】
前記蓋は、容器に電池を納置する空間を形成し、モーターは制御スイッチと電池の電源が相互に連結し、電池電力によって運転することを特徴とする請求項１記載の空気清浄機構造。
【請求項６】
前記センサーは、マジックアイとし、マジックアイは赤外線を発して感知範囲内に感知物体の有無を調べることを特徴とする請求項１記載の空気清浄機構造。
【考案の詳細な説明】
【技術分野】
【０００１】
本考案は、空気清浄機構造に関するもので、空気中の粉塵等を取り除き、且つ室内をスピーディーに香気で満たすもので、センサーによって始動、停止する。
【背景技術】
【０００２】
一般に窓を閉め切った部屋もしくは車内の空気は、様々な異臭が存在して人を不快にする。加えて密閉された部屋に換気設備がない場合、内部の空気は完全に外界から遮断され、流通しないため、その空間の不快な臭いは拡散しない。そのため、多くの人が密閉空間に芳香器を設置し、芳香剤分子を空気中に放散し、不快な臭いを抑える。
【０００３】
しかしながら、公知の芳香器は、芳香剤の揮発作用によって、成分を空気中に漂わせているだけなので、効果が現れるのが遅く、且つ効果に限界がある。また、芳香剤は、メタノールを添加して揮発させるため、人体に影響を与えることもある。また芳香器には、蓄圧器(ガスボンベ)もしくは扇風機によって直接芳香剤を空気中に撒くものがあるが、このような噴射方法は空気中に常に循環させることができないため、効果が短い。
【考案の開示】
【考案が解決しようとする課題】
【０００４】
解決しようとする問題点は、スピーディー、且つ持続的に芳香効果を得ることができない点である。
【課題を解決するための手段】
【０００５】
本考案は、容器、容器に被せる蓋、モーター、プロペラ及びプロペラ下方に設置する撹絆棒から構成される。容器内部に植物液もしくは芳香剤の液体を入れ、プロペラによって蓋外部の気体を持続的に循環させ、液体分子を放散する。蓋の適する位置には数個のセンサーが設置され、そのセンサーと制御スイッチは連接される。人が感知範囲に入ると、センサーが感知して制御スイッチを動かして、モーターが始動する。容器に進入した空気は、液体の液体面と接触し、空気中に混じっている粉塵等を吸いつけ、粉塵は重力によって容器の底部に沈殿することを最も主要な特徴とする。
【考案の効果】
【０００６】
本考案の空気清浄機構造は、空気中の夾雑物を取り除き、且つ室内を香気で満たすもので、センサーによって始動、停止するという利点がある。
【考案を実施するための最良の形態】
【０００７】
図１及び図２に示すとおり、主に液体Ｌを納置する容器１０と、容器１０上方に被せ、空気が容器内を出入りするための通気孔２１が穿設された蓋２０と、芯軸が容器１０の液体Ｌ側を向き、蓋２０内に設置されるモーター３０と、芯軸上に設置されるプロペラ４０と、プロペラ４０下方に設置され、液体Ｌ内に浸す撹絆棒５０から構成される。
【０００８】
図中の実施例は、制御スイッチ(図示せず)と電気コード３１が連結され、空気清浄機を電源に連接して使用する。当然、この空気清浄機の容器１０に電池を納置する空間を設置してもよく(図示せず)、モーターを制御スイッチと電池の電源コードに連結し、電池電力によって作動する。更にこの空気清浄機は異なる形状でもよく、図５に示すのは蓋２０が八角形のものである。
【０００９】
図２及び図３に示すとおり、プロペラ４０は、最上部に凸条４１が設置された盤面構造で、また撹絆棒５０の最上部には、プロペラ４０底面と相互に接合する凸縁５１が設置され、プロペラ４０の盤面と撹絆棒５０の凸縁５１上にはそれぞれ相互に掛合する掛合槽４２と掛合凸体５２が成形される。そして撹枠棒５０の掛合凸体５２をプロペラ４０の掛合槽４２内に嵌め込み、回転させると掛合凸体５２と掛合槽４２はしっかりと掛合され、撹枠棒５０とプロペラ４０が結合する。別に、この容器１０は透明材質がよく、図３に示すとおり、容器１０内部の液体Ｌの残量が見え、且つプロペラ４０と撹絆棒５０の回転状態が見える。
【００１０】
プロペラ４０が気流を循環させると同時に、撹絆棒５０がプロペラ４０の回転によって液体Ｌを撹枠し、液体Ｌ中の分子活性を増加させ、分子拡散を加速する。そして蓋２０外部から容器１０内へ進入した空気と液体Ｌが接触し、空気中の粉塵が液体Ｌの液面に付着し、その粉塵は重力作用によって容器１０底部に沈殿し、空気中の夾雑物を取り除く。
【００１１】
また、この蓋２０の適する位置には数個のセンサー装置６０を設置し、そのセンサーはマジックアイとする。このマジックアイは感知物体が感知範囲内にいるかどうかを調査するため、赤外線を発射しており、制御スイッチと連接している。人が感知範囲内に入ると、センサーが制御スイッチをオンにしてモーターを始動させる。図３に示すとおり、空気清浄機を実際に運転させると、容器１０内の植物液もしくは芳香剤の液体Ｌは、モーター３０によってプロペラ３０が回転し、そのプロペラ４０によって容器１０内に循環気流が発生する。その循環気流が蓋２０外部の空気を容器１０内に取り込み、容器１０内で循環後、蓋２０外部へ排出される。蓋２０外部の気体が持続的に容器１０内を循環している間、容器１０内の液体Ｌ分子は継続的に放出され、室内の空気を香気で満たす。
【００１２】
本考案の実施例は、その一つであり、本考案の技術的範囲を制限するものではない。本考案の構造、装置、特徴等と近似するものは、本考案の技術的範囲に属する。
【産業上の利用可能性】
【００１３】
この空気清浄機は、車内に設置することもでき、図６に示すとおり、人が車内に入ると、センサー６０が感応し、制御スイッチを動かしてモーターを始動させ、空気清浄を行う。また人が車から降りると、センサーは感知するものがないため、制御スイッチを切って、モーターを停止させる。空気清浄機は人を感知したかどうかでモーターが作動、停止する。
【図面の簡単な説明】
【００１４】
【図１】本考案の空気清浄機構造外観図である。
【図２】本考案の空気清浄機構造分解図である。
【図３】本考案の空気清浄機構造断面図である。
【図４】本考案のプロペラと攪拌棒の掛合状態指示図である。
【図５】本考案の別の構造外観図である。
【図６】本考案の使用状態指示図である。
【符号の説明】
【００１５】
Ｌ  液体
１０  容器
２０  蓋
２１  通気孔
３０  モーター
３１  電気コード
４０  プロペラ
４１  凸条
４２  掛合槽
５０  攪拌棒
５１  凸縁
５２  掛合凸体
６０  センサー
【図１】
0003102974.tif 000003
【図２】
0003102974.tif 000004
【図３】
0003102974.tif 000005
【図４】
0003102974.tif 000006
【図５】
0003102974.tif 000007
【図６】
0003102974.tif 000008